(57)【要約】【課題】監視対象体に発生した異常の原因を迅速に特定し得る監視装置を提供する。【解決手段】監視対象機器５１についてのパラメータを計測した計測データを記憶部に記憶させる計測モジュール１１を備え、計測モジュール１１は、記憶部としてのデータメモリ２５ａおよびデータメモリ２５ｂを備えて構成されると共に、パラメータを所定周期で計測した計測データＤｍ１をデータメモリ２５ａに記憶させ、かつパラメータを所定周期よりも短い周期で計測した計測データＤｍ２をパラメータの値が所定の条件を満たしたときにデータメモリ２５ｂに記憶させる。【選択図】図３
2008020982.tif 000002
【特許請求の範囲】
【請求項１】
監視対象体についてのパラメータを計測した計測データを記憶部に記憶させる計測モジュールを備えた監視装置であって、
前記計測モジュールは、前記記憶部としての第１記憶部および第２記憶部を備えて構成されると共に、前記パラメータを所定周期で計測した第１計測データを前記計測データとして前記第１記憶部に記憶させ、かつ前記パラメータを前記所定周期よりも短い周期で計測した第２計測データを前記パラメータの値が所定の条件を満たしたときに前記計測データとして前記第２記憶部に記憶させる監視装置。
【請求項２】
前記計測モジュールは、前記第２計測データを記憶する第３記憶部を備えると共に、先に記憶させている前記第２計測データを消去しつつ最新の前記第２計測データを第１の所定時間分だけ前記第３記憶部に記憶させ、前記パラメータの値が前記所定の条件を満たしたときにその時点の前後に亘る第２の所定時間分の前記第２計測データを前記第３記憶部から前記第２記憶部に転送して記憶させる請求項１記載の監視装置。
【請求項３】
前記記憶部に記憶されている前記計測データを送信対象機器に送信可能な送信モジュールを備えている請求項１または２記載の監視装置。
【請求項４】
請求項３記載の監視装置と、前記送信対象機器としてのデータ処理装置とを備え、
前記データ処理装置は、前記計測データに基づく所定のデータ処理を実行する監視システム。
【発明の詳細な説明】
【技術分野】
【０００１】
本発明は、監視対象体についてのパラメータを計測した計測データを記憶部に記憶可能に構成された監視装置に関するものである。
【背景技術】
【０００２】
この種の監視システムとして、特開２００２−２４９７３号公報に開示された遠隔監視システムが知られている。この遠隔監視システムは、監視対象体としての複数の電力設備に遠隔監視端末および通信ユニットがそれぞれ接続されると共に、各通信ユニットが基地局およびパケット通信網を介して遠隔監視センタに接続されて、電力設備の異常発生の有無を監視可能に構成されている。この遠隔監視システムでは、各電力設備毎に規定された監視項目について異常が発生したときに、遠隔監視端末が、どの監視項目についてどのような異常がいつ発生したかなどの異常発生内容を含んだ異常情報を通信ユニットに出力する。これに応じて、通信ユニットが、基地局およびパケット通信網を介して異常情報を遠隔監視センタに送信する。また、発生した異常が復旧したときには、遠隔監視端末が、どの監視項目についての異常がいつどのように復旧したかなどを示す異常情報を通信ユニットに出力し、通信ユニットが、その異常情報を遠隔監視センタに送信する。一方、遠隔監視センタでは、各通信ユニットから送信された異常情報に基づき、各種の異常詳細情報を監視履歴・異常詳細データベースに書き込む。したがって、この遠隔監視システムでは、異常詳細情報を閲覧することで、異常発生に関する情報を把握することが可能となっている。
【特許文献１】特開２００２−２４９７３号公報（第３−５頁、第１図）
【発明の開示】
【発明が解決しようとする課題】
【０００３】
ところが、従来の遠隔監視システムには、以下の問題点がある。すなわち、この遠隔監視システムでは、遠隔監視端末から出力される情報の内容が、どの監視項目についてどのような異常がいつ発生したかを示す内容に止まっている。一方、異常の復旧に際してその異常の原因を特定するためには、監視項目の変化を詳細に調査する必要がある。例えば、監視項目が電流や電圧のときには、異常発生時の前後におけるこれらの波形の詳細なデータを記憶させてその波形を解析するのが有効である。しかしながら、従来の遠隔監視システムには、このような詳細なデータを記憶させる手段が備えられていないため、異常が発生したときには、計測機器を現場に持ち込んで詳細なデータの収集を別途行う必要がある。このため、従来の遠隔監視システムには、その分、原因の究明や復旧が遅れるという問題点が存在する。また、遠隔監視システムに用いられているデータのフォーマットと計測機器に用いられているデータのフォーマットとが異なるときには、両者のデータの比較が困難となって原因の究明や復旧がさらに遅れるおそれもある。さらに、異常発生についての再現性が低い場合には、再び異常が発生するまで長時間に亘る調査が必要となったり、原因が特定できずに根本的な対策が困難となるおそれもある。
【０００４】
本発明は、かかる問題点に鑑みてなされたものであり、監視対象体に発生した異常の原因を迅速に特定し得る監視装置および監視システムを提供することを主目的とする。
【課題を解決するための手段】
【０００５】
上記目的を達成すべく請求項１記載の監視装置は、監視対象体についてのパラメータを計測した計測データを記憶部に記憶させる計測モジュールを備えた監視装置であって、前記計測モジュールは、前記記憶部としての第１記憶部および第２記憶部を備えて構成されると共に、前記パラメータを所定周期で計測した第１計測データを前記計測データとして前記第１記憶部に記憶させ、かつ前記所定周期よりも短い周期で計測した第２計測データを前記パラメータの値が所定の条件を満たしたときに前記計測データとして前記第２記憶部に記憶させる。
【０００６】
また、請求項２記載の監視装置は、請求項１記載の監視装置において、前記計測モジュールは、前記第２計測データを記憶する第３記憶部を備えると共に、先に記憶させている前記第２計測データを消去しつつ最新の前記第２計測データを第１の所定時間分だけ前記第３記憶部に記憶させ、前記パラメータの値が前記所定の条件を満たしたときにその時点の前後に亘る第２の所定時間分の前記第２計測データを前記第３記憶部から前記第２記憶部に転送して記憶させる。
【０００７】
また、請求項３記載の監視装置は、請求項１または２記載の監視装置において、前記記憶部に記憶されている前記計測データを送信対象機器に送信可能な送信モジュールを備えている。
【０００８】
また、請求項４記載の監視システムは、請求項３記載の監視装置と、前記送信対象機器としてのデータ処理装置とを備え、前記データ処理装置は、前記計測データに基づく所定のデータ処理を実行する。
【発明の効果】
【０００９】
請求項１記載の監視装置によれば、計測モジュールが、監視対象体についてのパラメータを所定周期で計測した第１計測データを第１記憶部に記憶させると共に、所定周期よりも短い周期で計測した第２計測データをパラメータの値が所定の条件を満たしたときに第２記憶部に記憶させることにより、例えば、第１計測データに基づく波形を表示させることで比較的長い時間に亘るパラメータの変化を監視することができると共に、監視対象体において異常が発生したときには、第２計測データに基づく詳細な波形を表示させることで異常発生時におけるパラメータの変化を詳細に解析することができる。したがって、詳細なデータを記憶させる手段を備えていない従来の監視装置とは異なり、例えば、計測機器を用いて詳細な計測データの収集を別途行うことなく、発生した異常の原因を迅速に特定することができる。また、第１計測データおよび第２計測データが共に計測モジュールによって生成されるデータであるため、両計測データのフォーマットを容易に共通化することができる。したがって、両計測データの加工等が容易となる結果、両計測データに基づく波形の比較や解析などを容易に行うことができる。さらに、監視対象体における異常の発生に伴って計測モジュールによって第２計測データが確実に記憶されるため、異常発生についての再現性が低い場合であっても、再び異常が発生するまで長時間に亘る調査が必要となったり、原因が特定できずに根本的な対策が困難となったりする事態を確実に回避することができる。
【００１０】
また、請求項２記載の監視装置によれば、計測モジュールが最新の第２計測データを第１の所定時間分だけ第３記憶部に記憶させると共に、パラメータの値が所定の条件を満たしたときにその時点の前後に亘る第２の所定時間分の第２計測データを第３記憶部から第２記憶部に転送して記憶させることにより、異常発生時点の前後におけるパラメータについての波形を分析することができるため、異常の原因を確実かつ容易に特定することができる。
【００１１】
また、請求項３記載の監視装置によれば、記憶部に記憶されている計測データを送信対象機器に送信可能な送信モジュールを備えたことにより、例えば、ＬＡＮや公衆回線網を介して監視装置と送信対象機器とを接続することで、監視装置の設置場所、つまり監視対象体の設置場所から遠く離れた地点において計測データを収集することができるため、その遠く離れた地点において異常の原因を特定することができる。
【００１２】
また、請求項４記載の監視システムによれば、上記の監視装置と、送信対象機器としてのデータ処理装置とを備え、データ処理装置が、計測データに基づく所定のデータ処理を実行することにより、上記の監視装置が有する効果を確実に実現可能な監視システムを構築することができる。
【発明を実施するための最良の形態】
【００１３】
以下、本発明に係る監視装置および監視システムの最良の形態について、添付図面を参照して説明する。
【００１４】
最初に、遠隔監視システム１の構成について、図面を参照して説明する。図１に示す遠隔監視システム１は、本発明に係る監視システムの一例であって、同図および図２に示すように、監視装置２およびパーソナルコンピュータ（以下、「パソコン」ともいう）３を備えて、監視対象機器５１（本発明における監視対象体）についてのパラメータを測定することによって監視対象機器５１の稼働状態を監視可能に構成されている。この場合、監視対象機器５１としては、一例として、電源装置や換気装置等が該当し、電源装置における出力電圧や、換気装置における駆動モータに流れる電流等が計測対象のパラメータに該当する。
【００１５】
監視装置２は、図１，２に示すように、複数（例えば３つ）の計測モジュール１１、通信モジュール１２、電源モジュール１３およびモジュールバス１４を備えて構成されている。計測モジュール１１は、モジュールバス１４のスロットに装着（着脱）可能に構成されている。また、計測モジュール１１は、モジュールバス１４に装着された状態において、背面に配設された図外のコネクタとモジュールバス１４のコネクタ３１（図１参照）とが接続されて、モジュールバス１４を介して通信モジュール１２および電源モジュール１３に接続される。
【００１６】
また、計測モジュール１１は、図３に示すように、Ａ／Ｄ変換部２１、制御部２２、バッファ２３、基準値メモリ２４、データメモリ２５ａ，２５ｂ（以下、データメモリ２５ａ，２５ｂを区別しないときには「データメモリ２５」ともいう）を備えて構成されている。Ａ／Ｄ変換部２１は、監視対象機器５１についてのパラメータ（例えば電流）を所定の周期Ｔ１（例えば、２．５／１０００秒）でサンプリングしてサンプリングデータＤｓを出力する。
【００１７】
制御部２２は、Ａ／Ｄ変換部２１から出力されたサンプリングデータＤｓをバッファ２３に記憶させる。この場合、制御部２２は、いわゆるリングバッファ方式でバッファ２３に対してサンプリングデータＤｓを上書きさせることにより所定時間分（本発明における第１の所定時間分：例えば２秒程度の時間分）の最新のサンプリングデータＤｓを記憶させる。つまり、制御部２２は、先に記憶させているサンプリングデータＤｓを消去しつつ最新のサンプリングデータＤｓを所定時間分記憶させる。また、制御部２２は、バッファ２３に記憶させたサンプリングデータＤｓに基づくデータをデータメモリ２５に記憶させる記憶処理を実行する。具体的には、制御部２２は、サンプリングデータＤｓを上記の周期Ｔ１よりも長い周期Ｔ２（本発明における所定周期：例えば、１秒）で間引きして求めた監視対象機器５１についてのパラメータの値を示すデータ、つまり監視対象機器５１についてのパラメータを周期Ｔ２で計測したデータを計測データＤｍ１（本発明における第１計測データ）としてデータメモリ２５ａに記憶させる。
【００１８】
また、制御部２２は、後述する基準値データＤｃによって特定される基準値と、算出したパラメータの値とを比較して、例えば、その値が基準値以上のとき（本発明における、パラメータの値が所定の条件を満たしたとき）には、その時点を中心として前後１秒間程度の時間分（本発明における第２の所定時間分の一例）のサンプリングデータＤｓをバッファ２３から読み出して計測データＤｍ２（本発明における第２計測データ：以下、上記した計測データＤｍ１と計測データＤｍ２とを区別しないときには「計測データＤｍ」ともいう）としてデータメモリ２５ｂに記憶させる。また、制御部２２は、パソコン３によって実行されるデータ収集処理において、データメモリ２５ａ，２５ｂに記憶されている計測データＤｍ１，Ｄｍ２をモジュールバス１４を介して通信モジュール１２に出力する。
【００１９】
バッファ２３は、本発明における第３記憶部に相当し、制御部２２の制御に従ってサンプリングデータＤｓを記憶する。基準値メモリ２４は、制御部２２によって実行される記憶処理に用いられる基準値データＤｃを記憶する。この場合、基準値データＤｃは、本発明における所定の条件（以下、「トリガ条件」ともいう）を特定するためのデータであって、一例として、監視対象機器５１の運転時における電流の許容値を示すデータを含んで構成されている。データメモリ２５ａは、本発明における第１記憶部に相当し、制御部２２の制御に従って計測データＤｍ１を記憶する。データメモリ２５ｂは、本発明における第２記憶部に相当し、制御部２２の制御に従って計測データＤｍ２を記憶する。
【００２０】
通信モジュール１２は、本発明における送信モジュールに相当し、ＬＡＮおよび公衆回線網を介してパソコン３との間で各種データの送受信を行う。この場合、通信モジュール１２は、パソコン３によって実行されるデータ収集処理において、計測モジュール１１のデータメモリ２５に記憶されている計測データＤｍをパソコン３に対して送信する。
【００２１】
電源モジュール１３は、例えば、商用交流電源に接続されて、モジュールバス１４に装着されている計測モジュール１１および通信モジュール１２に対してモジュールバス１４を介して電力を供給する。モジュールバス１４は、各モジュール１１〜１３を装着するための複数のスロット、各モジュール１１〜１３のコネクタ（図示せず）に接続される複数のコネクタ３１（図１参照：同図では１つだけを図示する）、および各コネクタ３１同士を接続する図外のバスラインを備えて構成されている。
【００２２】
パソコン３は、本発明における送信対象機器およびデータ処理装置に相当し、ＬＡＮおよび公衆回線網を介して監視装置２との間で各種データの送受信を行う。この場合、パソコン３は、所定時間間隔で監視装置２から計測データＤｍを収集するデータ収集処理を実行する。また、パソコン３は、計測データＤｍに基づいて監視対象機器５１における異常発生を報知する異常報知処理や、計測データＤｍに基づいて監視対象機器５１におけるパラメータの波形を表示部に表示する波形表示処理（いずれも本発明における所定のデータ処理に相当する）を実行する。
【００２３】
次に、遠隔監視システム１の動作について、図面を参照して説明する。
【００２４】
この遠隔監視システム１では、各監視対象機器５１に接続された監視装置２の計測モジュール１１が計測処理を実行する。具体的には、計測モジュール１１のＡ／Ｄ変換部２１が、監視対象機器５１についてのパラメータを所定の周期Ｔ１（この例では、２．５／１０００秒）でサンプリングしてサンプリングデータＤｓを出力する。また、計測モジュール１１の制御部２２が、所定時間分の最新のサンプリングデータＤｓをリングバッファ方式でバッファ２３に記憶させる。また、制御部２２は、サンプリングデータＤｓに基づくデータの記憶処理を実行する。この記憶処理では、制御部２２は、サンプリングデータＤｓを周期Ｔ２（この例では、１秒）で間引きして求めた監視対象機器５１についてのパラメータの値を示すデータを計測データＤｍ１としてデータメモリ２５ａに記憶させる。
【００２５】
次いで、制御部２２は、基準値メモリ２４から基準値データＤｃを読み出して、基準値データＤｃによって特定されるパラメータの基準値と、上記のように間引きして求めたパラメータの値とを比較する。この際に、算出した値が基準値以上であるとき、つまりトリガ条件を満たしたときには、制御部２２は、それをトリガとして、その時点を中心として前後１秒間程度の時間分のサンプリングデータＤｓをバッファ２３から読み出す。続いて、制御部２２は、読み出したサンプリングデータＤｓを計測データＤｍ２としてデータメモリ２５ｂに記憶させる。この場合、制御部２２は、トリガ条件を満たした時点（時刻）を特定可能なデータを計測データＤｍ２に含めてデータメモリ２５ｂに記憶させる。
【００２６】
一方、パソコン３は、データ収集処理を常時実行する。このデータ収集処理では、パソコン３は、所定時間（例えば１時間）間隔でＬＡＮおよび公衆回線網を介して監視装置２の通信モジュール１２に接続する。この際に、パソコン３は、モジュールバス１４を介して通信モジュール１２に接続されている各計測モジュール１１にアクセスして、各計測モジュール１１のデータメモリ２５ａに記憶されている計測データＤｍ１を収集する。次いで、パソコン３は、ハードディスク装置等のパソコン３内部の記憶装置に計測データＤｍ１を記憶させる。
【００２７】
続いて、パソコン３は、各計測モジュール１１のデータメモリ２５ｂに計測データＤｍ２が記憶されているか否かを検索して、計測データＤｍ２が記憶されているときには、その計測データＤｍ２を収集して記憶装置に記憶させる。また、パソコン３は、データメモリ２５ｂに計測データＤｍ２が記憶されているときには、監視対象機器５１についてのパラメータの値がトリガ条件を満たした、つまりパラメータの値が基準値を超えるような異常が監視対象機器５１に発生したと判別して、異常報知処理を実行する。この異常報知処理では、制御部２２は、異常が発生している旨を示す画像を表示部４１に表示させる。これにより、監視装置２によって監視されている監視対象機器５１において異常が発生した旨が報知される。
【００２８】
ここで、例えば、監視対象機器５１において発生した異常の原因を解析するために監視対象機器５１におけるパラメータの波形を表示させる際には、パソコン３を操作して波形表示処理を実行させる。この波形表示処理では、パソコン３は、計測データＤｍ１を記憶装置から読み出す。次いで、制御部２２は、計測データＤｍ１に基づき、図４に示すように、比較的長い時間に亘るパラメータの変化を示す全体波形Ｗｇを表示部４１に表示させる。この際に、パソコン３は、記憶装置に上記した計測データＤｍ２が記憶されているときには、計測データＤｍ２を読み出してトリガ条件を満たした時点を特定すると共に、同図に示すように、その時点を示すトリガマークＭを全体波形Ｗｇの表示画面内に表示させる。この場合、トリガマークＭが表示されることで、例えば、監視対象機器５１の運転開始からどのくらい経過した時点で異常が発生したかなどの情報を一目で把握することが可能となる。
【００２９】
次に、異常が発生した時点（トリガ条件を満たした時点）の前後における詳細な波形を表示させる際には、図４に示すように、例えば、マウス４２（図１参照）を操作して表示画面内のトリガマークＭ上にマウスポインタＣを移動させて、マウス４２をクリック操作する。これに応じて、パソコン３は、図５に示すように、記憶装置から読み出した計測データＤｍ２に基づく詳細波形Ｗｄを表示部４１に表示させる。この場合、詳細波形Ｗｄが計測データＤｍ１の周期Ｔ２よりも短い周期Ｔ１でサンプリングしたサンプリングデータＤｓとしての計測データＤｍ２に基づく波形であるため、計測データＤｍ１に基づく全体波形Ｗｇと比較して、パラメータの変化を詳細に解析することが可能となる。このため、この解析から異常の発生原因を確実かつ容易に特定することが可能となる。なお、全体波形Ｗｇおよび詳細波形Ｗｄの表示方法は上記の例に限定されず、図６に示すように、両波形Ｗｇ，Ｗｄを同じ画面内において上下に並べて表示させる表示方法を採用することもできる。
【００３０】
このように、この監視装置２および遠隔監視システム１によれば、計測モジュール１１が監視対象機器５１のパラメータを周期Ｔ２で計測した計測データＤｍ１をデータメモリ２５ａに記憶させると共に、計測したパラメータの値がトリガ条件を満たしたときにそのパラメータを周期Ｔ２よりも短い周期Ｔ１で計測した計測データＤｍ２をデータメモリ２５ｂに記憶させることにより、計測データＤｍ１に基づく全体波形Ｗｇを表示させることで比較的長い時間に亘るパラメータの変化を監視することができると共に、監視対象機器５１において異常が発生したときには、計測データＤｍ２に基づく詳細波形Ｗｄを表示させることで異常発生時におけるパラメータの変化を詳細に解析することができる。したがって、詳細なデータを記憶させる手段を備えていない従来の監視装置とは異なり、例えば、計測機器を用いて詳細な計測データの収集を別途行うことなく、発生した異常の原因を迅速に特定することができる。また、両計測データＤｍ１，Ｄｍ２が計測モジュール１１によって生成されるデータであるため、両計測データＤｍ１，Ｄｍ２のフォーマットを容易に共通化することができる。したがって、両計測データＤｍ１，Ｄｍ２の加工等が容易となる結果、両計測データＤｍ１，Ｄｍ２に基づく波形の比較や解析などを容易に行うことができる。さらに、監視対象機器５１における異常の発生に伴って計測モジュール１１によって計測データＤｍ２が確実に記憶されるため、異常発生についての再現性が低い場合であっても、再び異常が発生するまで長時間に亘る調査が必要となったり、原因が特定できずに根本的な対策が困難となったりする事態を確実に回避することができる。
【００３１】
また、この監視装置２および遠隔監視システム１によれば、計測モジュール１１の制御部２２がサンプリングデータＤｓをバッファ２３に記憶させると共に、パラメータの値がトリガ条件を満たしたときにその時点の前後に亘る所定時間分のサンプリングデータＤｓをバッファ２３からデータメモリ２５ｂに転送して計測データＤｍ２として記憶させることにより、異常発生時点の前後におけるパラメータについての波形を分析することができるため、異常の原因を確実かつ容易に特定することができる。
【００３２】
さらに、この監視装置２および遠隔監視システム１によれば、計測データＤｍをパソコン３に送信可能な通信モジュール１２を備えたことにより、例えば、ＬＡＮや公衆回線網を介して監視装置２とパソコン３とを接続することで、監視装置２の設置場所、つまり監視対象機器５１の設置場所から遠く離れた地点において計測データＤｍを収集することができるため、その遠く離れた地点において異常の原因を特定することができる。
【００３３】
また、この遠隔監視システム１によれば、監視装置２と、パソコン３とを備えて、パソコン３が、計測データＤｍに基づく異常報知処理や波形表示処理などの各種の処理を実行することにより、上記した監視装置２が有する効果を確実に実現可能な遠隔監視システム１を構築することができる。
【００３４】
なお、本発明は、上記の構成に限定されない。例えば、本発明における第１記憶部および第２記憶部をデータメモリ２５で構成した例について上記したが、本発明における第１記憶部および第２記憶部には、各種の半導体メモリ、ハードディスク装置、磁気テープドライブ装置、光ディスク装置および光磁気ディスク装置等の各種の記憶素子や記憶装置が含まれる。また、２つのデータメモリ２５ａ，２５ｂを備えて、計測データＤｍ１，Ｄｍ２をデータメモリ２５ａ，２５ｂそれぞれ個別的に記憶させる構成例について上記したが、１つのメモリ（記憶素子）や記憶記憶の内部に２つ（または３つ以上）の記憶領域を形成して、各記憶領域に計測データＤｍ１，Ｄｍ２をそれぞれ記憶させる構成を採用することもできる。
【００３５】
また、パラメータの値の上限値を基準値として規定した例について上記したが、パラメータの値の下限値や、上下限値を基準値として規定することもできる。また、ＬＡＮおよび公衆回線網を介して監視装置２（通信モジュール１２）とパソコン３とがデータの送受信を行う例について上記したが、専用の通信網を介してデータの送受信を行う構成や、これらとＬＡＮや公衆回線網とを適宜組み合わせてデータの送受信を行う構成を採用することもできる。この場合、これらの通信網は有線通信網に限定されず、無線通信網を用いることもできる。
【００３６】
また、通信モジュール１２を備えていない構成を採用することもできる。この構成においても、例えば、計測モジュール１１とパソコン３等のデータ処理装置とをデータ転送用のケーブルで直接接続してデータＤｍ１，Ｄｍ２を収集することで、遠隔監視システム１と同様に発生した異常の原因を迅速に特定することができる。また、データ処理装置としてのパソコン３を備えた例について上記したが、データ処理装置としてはパソコン３に限定されず、遠隔監視システム専用のデータ処理装置やＰＤＡ（Personal Digital Assistants）等の携帯端末などを用いることができる。
【図面の簡単な説明】
【００３７】
【図１】遠隔監視システム１の構成を示す構成図である。
【図２】遠隔監視システム１の構成を示すブロック図である。
【図３】計測モジュール１１の構成を示すブロック図である。
【図４】全体波形Ｗｇの表示画面図である。
【図５】詳細波形Ｗｄの表示画面図である。
【図６】全体波形Ｗｇと詳細波形Ｗｄとを並べて表示した表示画面図である。
【符号の説明】
【００３８】
１  遠隔監視システム
２  監視装置
３  パソコン
１１  計測モジュール
１２  通信モジュール
２３  バッファ
２５ａ，２５ｂ  データメモリ
５１  監視対象機器
Ｔ１，Ｔ２  周期
Ｄｃ  基準値データ
Ｄｍ１，Ｄｍ２  計測データ
【図１】
2008020982.tif 000003
【図２】
2008020982.tif 000004
【図３】
2008020982.tif 000005
【図４】
2008020982.tif 000006
【図５】
2008020982.tif 000007
【図６】
2008020982.tif 000008